(57)【要約】      （修正有）【課題】従来の鳥害防止装置は電気的な絶縁強度の面で不十分であり、施工性．経済性の点でも改善すべき課題が残されていた。本発明はかかる課題を解消し、コンパクトで施工性．経済性に優れ且つ充分な絶縁強度を有する鳥害防止用の絶縁カバーシートを提供する。【解決手段】絶縁シート１２の巻付け開始端縁部の長手方向と直角方向に接着層１３を少なくとも２箇所以上設け、前記接着層により絶縁カバーシート１２の巻始め端縁部を被着体に固着後複数回巻付け、前記絶縁カバーシート１２の巻付け終端部の長手方向の外周の複数箇所を自己融着テープその他の緊締具により緊締した。【選択図】図３
2005073482.tif 000002
【特許請求の範囲】
【請求項１】
、絶縁カバーシートの巻付け開始端縁部の長手方向と直角方向に接着層を少なくとも２箇所以上設け、前記接着層により絶縁カバーシートの巻始め端縁部を被着体に固着後、複数回巻付けて外周方向の複数箇所を自己融着テープその他の緊締具により緊締したことを特徴とする鳥害防止用絶縁カバーシート。
【請求項２】
請求項１の絶縁カバーシートにおいて、巻付け開始端縁部の一部が所定の巾で長手方向に連続した薄肉部が形成されていることを特徴とする鳥害防止用絶縁カバーシート。
【請求項３】
請求項１および２の絶縁カバーシートにおいて、被着体への巻付け側内面の巻付け開始端縁部および終端縁部の長手方向に沿って、接着層が形成されていることを特徴とする鳥害防止用絶縁カバーシート。
【請求項４】
請求項１〜３の絶縁カバーシートにおいて、絶縁カバーシートの巻付け長手方向の巾が巻付け方向の巾よりも大きいことを特徴とする鳥害防止用絶縁カバーシート。
【発明の詳細な説明】
【技術分野】
【０００１】  本発明は、送電線のジャンパ線あるいは前記送電線近傍に架設される仮設支線などに取り付けて、鳥害による地絡事故や工事車輌などの感電事故を防止するための絶縁カバーに関するものである。
【技術背景】
【０００２】  鳥類特にカラスなどの大型の鳥による地絡事故の大部分は、春先から初夏に掛けての営巣時期およびヒナの飼育時期に集中している。特に営巣時期などにおいては営巣材が導電性の針金などが多く用いられ、鉄塔アーム先などに銜えたまま着塔してジャンパ線等と接触して地絡事故となることが多い。
【０００３】  前記のような鳥による地絡事故を防止するために種々の対策が提案されている。具体的な方法としては、（１）ジャバラ型筒体に長さ方向に割目を設けて電線に被せるようにした鳥害防止カバー（例えば特許文献１参照）、（２）絶縁シートをジャンパ線または懸垂鉄塔の支持点近傍における送電線部分に巻きつけたもの（例えば特許文献２参照）、（３）裸電線またはその支持部材の少なくともその一方側の外周に、絶縁テープを巻き付けた鳥害対策、樹木接触対策（例えば特許文献３参照）などがある。
【０００４】
【特許文献１】  実開平３−１８６３１号公報
【特許文献２】  実開平５−７４１３１号公報
【特許文献３】  特開２０００−３００７０８号公報
【発明の開示】
【発明が解決しようとする課題】
【０００５】  前記（１）のジャバラ型筒体に長さ方向に割目を設けて電線に被せるようにした鳥害防止カバーでは、営巣材の針金などにより鉄塔の塔体にアースされると、長さ方向の割目のためにリーケージパスが短縮されたのと同様となり、例えば７７ｋＶ程度の送電線では１０ｃｍ程度の直径のカバーでも地絡くしてしまい、絶縁強度の面で大きな不安がある。（２）の絶縁シートをジャンパ線または懸垂鉄塔の支持点近傍における送電線部分に巻き付ける方法では、ジャンパ線は大地方向に凸な形状の楕円径または放物線状となっており、前記のような線状体に絶縁シートを巻き付けようとすると、シート自体の有する弾性のため巻戻りし易く極めて作業性が悪いという欠点があった。（３）の裸電線またはその支持部材の少なくともその一方側の外周に絶縁テープを巻き付ける方法では、ジャンパ線の最下点箇所に水抜き穴を設ける必要があり、前記箇所はリーケージパスが最も短小となり（１）と同様に地絡事故を起こしやすい欠点があると共に、ジャンパ線が被覆されたのと同様となることから、裸線に比べて温度上昇が大きくなるので通電容量が低下するのを避けられないという問題があった。【０００６】  前記従来技術（１）〜（３）の鳥害防止方法はいずれも電気的な絶縁強度の面で問題を有するものであり、施工性．経済性を含め更なる改善が望まれている。そこで、本発明ではコンパクトな形状で施工性に優れ且つ充分な絶縁強度を有する鳥害防止絶縁カバーを提供することにある。
【課題を解決するための手段】
【０００７】  請求項１記載の発明は、絶縁カバーシートの巻付け開始端縁部の長手方向と直角方向に接着層を少なくとも２箇所以上設け、前記接着層により絶縁カバーシートの巻始め端縁部を被着体に固着後、複数回巻付けて外周方向の複数箇所を自己融着テープその他の緊締具により緊締したことを特徴とする鳥害防止用絶縁カバーシートである。【０００８】  請求項２記載の発明は、請求項１の絶縁カバーシートにおいて、巻付け開始端縁部の一部が所定の巾で長手方向に連続した薄肉部が形成されていることを特徴とする鳥害防止用絶縁カバーシートである。【０００９】  請求項３記載の発明は、請求項１および２記載の絶縁カバーシートにおいて、被着体への巻付け側内面の巻付け開始端縁部および終端縁部の長手方向に沿って、接着層が形成されていることを特徴とする鳥害防止用絶縁カバーシートである。
前記自己融着粘着層は、例えば未架橋の天然ゴムやブチルゴムなどに架橋ブチルゴム．軟化剤．充填剤などを適宜配合したもので、長手方向にジャンパ線の太さにもよるが数センチメートル巾で形成したものである。【００１０】  請求項４記載の発明は、請求項１〜３記載の絶縁カバーシートにおいて、絶縁カバーシートの巻付け長手方向の巾が巻付け方向の巾よりも大きいことを特徴とする鳥害防止用絶縁カバーシート。
【発明の効果】
【００１１】  本発明によれば、所定の厚さを有し巻付け巾よりも巻付け長さ方向の巾が大きい絶縁カバーシートを用いたので、コンパクトで安価な鳥害絶縁カバーシートを提供できると共に大幅に施工性を向上させることができる。また、前記絶縁カバーシートの巻付け開始端部縁の複数箇所に接着層設けたので、ジャンパー線に絶縁カバーシートを確実に固定して取付作業が出来、施工が容易で仕上がり形状も美麗にできる。また、前記絶縁カバーシートの巻付け開始端縁部の一部を所定の巾で長手方向に薄肉部を形成したので、絶縁カバーシートの弾性による反発力を弱めることが出来るので、ジャンパー線への巻付け性が良くなり一層施工性を向上させることができる。さらに、前記絶縁カバーシートの被着体への巻付け側内面の巻付け開始および終端縁部の長手方向に沿って、接着層を設けたので、ジャンパー線に絶縁カバーシートを確実に固定できて、ジャンパー線の風などによる動揺での移動を防止でき長期に亘り安定した地絡防止効果を発揮維持できるるなど、施工性．経済性に優れた鳥害絶縁カバーシートを提供できる。また、前記絶縁カバーシートを撤去する場合にも絶縁カバーシート相互は部分的にしか接着されていないから、ジャンパー線からの解体作業も容易でジャンパー線のリサイクル性にも優れるなど、工業上顕著な効果を奏するものである。
【発明を実施するための最良の形態】
【００１２】  本発明の実施の形態を説明する。
図１は本発明の鳥害防止絶縁カバーシートを、耐張鉄塔８のジャンパー線９に設置した状況を示す側面図である。図において１は鉄塔アームの先端部、３は耐張碍子連．５は引留めクランプ、７は架空送電線の本線、１０はジャンパー線９の中間部を支持する支持碍子である。
支持碍子１０は上端に上部金具８を、下端に下部金具１１を一体に有している。上部金具８は鉄塔アームの先端部１に取り付けられている。また、下部金具１１にはジャンパー線９を把持する把持金具４が締め付けボルト６により取り付けられている。また、この実施形態では、ジャンパー線把持金具４の両側のジャンパー線９に絶縁カバー１２が被せられている。絶縁カバー１２の内端は把持金具４の口元に接するように被せられている。
なお、絶縁カバー１２の材質は、ＥＰＤＭ（エチレンプロピレンジエンモノマー）．ＥＰＲ（エチレンプロピレンゴム）．ＥＶＡ（エチレン酢酸ビニルコポリマー）．ＳＩＲ（シリコンゴム）等の電気的絶縁性に優れたゴム製の絶縁シートが使用される。【００１３】  図２はジャンパー線９に絶縁カバーシート１２を巻回した状態を示す斜視図で、営巣材の針金ＢがＣ点で絶縁カバーシート１２に接触した状況を示している。絶縁カバーシート１２の巻回数が少ない場合には（Ｃ）点で貫通地絡するが、巻回数が適当で耐圧厚さ（Ｔ）が充分な場合には絶縁カバーシート１２との接触点（Ｃ）点の端部からの距離（Ｌｘ）に左右され、実験によれば表面汚損が軽度の場合には湿潤状態で５〜１０ｃｍでカバー表面をアークが走って絶縁カバーシート１２の端部のジャンパー線９と閃絡する状況が観察された。本発明の絶縁カバーシート１２は、長さが２〜５ｍのジャンパー線９に筒状に巻きつけて使用されるが、少なくともジャンパ線の露出部分が５０％以下となるように巻回被覆する。鳥害地絡事故を確実に防止するためには、ジャンパ線の全長に亘って巻回被覆すべきであるが、経済性および事故防止の効率性を考慮するとカラス等が着塔し易い鉄塔アーム先端部１の直下、ジャンパー線９の中央部分を中心に被覆するのが合理的である。したがって、施工性を向上させるためには電圧階級により要求される耐圧厚さ（Ｔ）を満足する必要最小限の巻付け回数となるようなシート巾（Ｌ）があればよいことになる。ジャンパー線９の絶縁カバーシート１２が使用される最高電圧は７７ＫＶであるので、絶縁カバーシート１２の厚さ（ｔ０）は通常１〜２．５ｍｍのものが使用されるので、所要の耐圧厚さ（Ｔ）は５〜１０ｍｍ程度でよいので、ジャンパー線９の外径を３ｃｍとすると巾は約５５〜４５ｃｍ程度あればよい。
そこで、ジャンパー線９の最小長さを２ｍ程度とすると、絶縁シートの長さは１ｍ以上あればよいことになる。
よって、前記の寸法の絶縁カバーシート１２をジャンパー線９が長い場合でも、長さ方向に複数本巻回して巻き継ぐことにより大幅な施工性の向上を図ることができる。【００１４】図３は本発明の第１実施形態を示す絶縁カバーシート１２の一部切開平面図（ａ）と側面図（ｂ）である。同図において、１３は絶縁カバーシート１２の縦幅方向に設置されている接着層で、両面粘着テープを添着したものや接着剤を塗布したものである。１４はその粘着面に貼付されている剥離テープである。接着層１３は絶縁カバーシート１２の横巾（Ｌ）方向と直角方向に複数箇所設置されている。前記絶縁カバーシート１２をジャンパー線９に巻きつけるには、剥離テープ１４を除去して絶縁カバーシート１２の巻付け端部をジャンパー線９に押し付けて固着する。その後、絶縁カバーシート１２の両端部がずれないように巻回すれば、接着層１３が絶縁カバーシート１２の巻回内面相互を粘着するので巻きほぐれることなく、熟練を要さずに容易に取り付けることが出来る。
以上のように絶縁カバーシート１２をジャンパー線９に巻付け後、必要に応じて図１に示したように自己融着粘着テープまたはインシュロックバンドなどの汎用の緊締具１５で、絶縁カバーシート１２の外周方向を複数箇所緊締固着するようにしてもよい。また、図示の実施形態では予め絶縁カバーシート１２に接着層１３を貼着した場合を示したが、場合によっては両面粘着テープ１３を単独でジャンパー線９に先に巻付けておき、その後、絶縁カバーシート１２の巻始め端部を前記両面粘着テープ１３に粘着させて巻付けてもよい。また、前記両面粘着テープ１３は特にテープ状でなくても良く、接着剤を塗布したものでもよい。このようにすると、接着剤塗布部の厚さ（ｔ）が薄くなるので絶縁カバーシート１２の巻付け後の局部的な膨出部をなくすことが出来て仕上がり外観を良好なものとすることが出来る。【００１５】  図４は本発明の第２の実施形態を示す平面図（ａ）と側面図（ｂ）である。本実施形態では絶縁カバーシート１２の巻付け開始端部の一部が、所定の巾で長手方向に沿って薄肉部１６を設けたところに特徴がある。即ち、絶縁カバーシート１２全体が均一な厚さ（ｔ２）であると、ジャンパー線９が比較的細い場合には絶縁カバーシート１２の弾性のため反発力が作用して巻付けが困難になる場合がある。このような障害を避けるために、絶縁カバーシート１２の巻付け開始端部に所定の巾（１０ｃｍ程度）の薄肉部１６を設けて反発力を弱めて巻回し易くしたものである。薄肉部１６の厚さ（ｔ１）は（ｔ２）の５０％程度とすると巻回しやすくなり都合がよい。なお、本実施形態の場合も、前記薄肉部１６に両面粘着テープを添着したり接着剤を塗布したりすることは、第１の実施形態と同様である。【００１６】  図５は本発明の第３の実施形態を示す一部切開平面図（ａ）と側面図（ｂ）である。
本実施形態では絶縁カバーシート１２の巻付け開始端部と巻付け終端部の長手方向に接着層１３を設けたところに特徴を有するものである。接着層１３は両面も接着剤を塗布したものであってもよい。前記のように構成すると、絶縁の巻付け開始端部がジャンパー線９に確実一様に固着されるので、巻きほぐれなどの支障を回避できて仕上がり全体も美麗なものとすることが出来る。
【産業上の利用可能性】
【００１７】  以上、本発明の絶縁カバーシートに関し、架空送電線のジャンパー線の鳥獣による地絡事故防止用として使用する場合を主に説明したが、この用途に限らず、例えば送電線直下でのクレーン車などを使用しての工事の際、クレーンアームが送電線に接近して感電事故などを起こす例があるが、こうした場合に、工事作業範囲箇所の送電線本線に設置したり、あるいは、感電防止のため接近防止用として仮設されるワイヤーなどにも設置することが出来る。
さらに、前記絶縁カバーシートに蓄光塗料等を配合して製作し夜間に発光するようにすれば、バリヤフリーのための階段縁部および手摺りに設置して安全表示用として利用でき、また、ビルの非常階段の手摺りに取り付けたり、夜間工事標識として危険箇所の表示などにも利用できる。また、こうした用途に対してはより安価に提供するために、カバーシート材を発泡させるなどして材料費を節減することが出来るなど、その利用可能性は広範囲で、工業的価値は大なるものである。
【図面の簡単な説明】
【００１８】
【図１】本発明による絶縁カバーシートをジャンパー線に設置した状況を示す側面図。
【図２】本発明による絶縁カバーシートをジャンパー線に巻回下状況を示す斜視図。
【図３】本発明絶縁カバーシートの第１実施形態を示す一部切開平面図と側面図。
【図４】本発明絶縁カバーシートの第２実施形態を示す平面図と側面図。
【図５】本発明絶縁カバーシートの第３実施形態を示す一部切開平面図と側面図。
【符号の説明】
【００１９】                                    ｔ．接着層を含めた絶縁カバーシートの厚さ
１．鉄塔アームの先端部          ｔ１．薄肉部の厚さ
３．張碍子連              ｔ０．ｔ２．絶縁カバーシートの厚さ
４．把持金具                      Ｔ．所要耐圧厚さ
５．留めクランプ                  Ｌ．絶縁カバーシートの長手方向の巾
６．締め付けボルト                Ｂ．営巣材の針金
７．空送電線の本線                Ｃ．接触点
８．上部金具                    Ｌｘ．接触点（Ｃ）点の端部からの距離
９．ジャンパー線
１０．支持碍子
１１．下部金具
１２．絶縁カバーシート
１３．接着層
１４．剥離テープ
１５．緊締具
１６．薄肉部
【図１】
2005073482.tif 000003
【図２】
2005073482.tif 000004
【図３】
2005073482.tif 000005
【図４】
2005073482.tif 000006
【図５】
2005073482.tif 000007